【手続補正書】
【提出日】平成20年9月1日(2008.9.1)
【手続補正１】
【補正対象書類名】明細書
【補正対象項目名】特許請求の範囲
【補正方法】変更
【補正の内容】
【特許請求の範囲】
【請求項１】  塗装対象に電圧を印加する電圧印加手段と、
電圧が印加された前記塗装対象の電位を検出する検出手段と、
前記検出した電位に基づいて、前記塗装対象の電気的状態を判定する判定手段と、を備えたことを特徴とする塗装対象検査装置。
【請求項２】  請求項１に記載の塗装対象検査装置であって、
前記検出手段が、前記電圧供給手段によって電圧を印加された後の過渡状態における前記塗装対象の電位を検出することを特徴とする塗装対象検査装置。
【請求項３】  請求項１または２に記載の塗装対象検査装置であって、
前記判定手段が、前記検出した電位と所定の基準値との比較に基づいて、前記塗装対象の除電状態を判定することを特徴とする塗装対象検査装置。
【請求項４】  請求項３に記載の塗装対象検査装置であって、
前記判定手段は、前記電圧印加手段による前記塗装対象への電圧の印加が停止してから予め定めた時間後の前記塗装対象の電位が予め定めた基準電圧値よりも低いときに前記塗装対象に対する静電塗装を許可する判定を行うことを特徴とする塗装対象検査装置。
【請求項５】  請求項３または４に記載の塗装対象検査装置であって、
前記判定手段が、前記検出した電位と接地判定基準値との比較に基づいて前記塗装対象の接地状態を判定し、または、前記検出した電位と導電性判定基準値との比較に基づいて前記塗装対象の導電性を判定することを特徴とする塗装対象検査装置。
【請求項６】  請求項１または２に記載の塗装対象検査装置であって、
前記判定手段が、前記検出した電位と所定の第１の基準値と該第１の基準値より高い所定の第２の基準値との比較に基づいて、前記塗装対象の除電状態を判定することを特徴とする塗装対象検査装置。
【請求項７】  請求項１から６のいずれか一つに記載の塗装対象検査装置であって、
前記検出手段が、前記塗装対象と非接触の状態で前記塗装対象の電位を検出することを特徴とする塗装対象検査装置。
【請求項８】  塗装対象に電圧を印加し、電圧が印加された前記塗装対象の電位を検出し、検出された電位に基づいて、前記塗装対象の電気的状態を判定することを特徴とする塗装対象の検査方法。
【請求項９】  請求項８に記載の塗装対象の検査方法であって、
前記検出は、電圧が印加された後の過渡状態における前記塗装対象の電位を検出することを特徴とする塗装対象の検査方法。
【請求項１０】  請求項８または９に記載の塗装対象の検査方法であって、前記判定は、前記検出した電位と所定の基準値との比較に基づいて、前記塗装対象の除電状態を判定することを特徴とする塗装対象の検査方法。
【請求項１１】  請求項１０に記載の塗装対象の検査方法であって、
前記判定は、電圧の印加が停止してから予め定めた時間後の前記塗装対象の電位が予め定めた基準電圧値よりも低いときに前記塗装対象に対する静電塗装を許可する判定を行うことを特徴とする塗装対象の検査方法。
【手続補正２】
【補正対象書類名】明細書
【補正対象項目名】０００７
【補正方法】変更
【補正の内容】
【０００７】
【課題を解決するための手段】
第１の本発明は、塗装対象に電圧を印加する電圧印加手段と、電圧が印加された前記塗装対象の電位を検出する検出手段と、前記検出した電位に基づいて、前記塗装対象の電気的状態を判定する判定手段と、を備えたことを特徴とする塗装対象検査装置である。
【手続補正３】
【補正対象書類名】明細書
【補正対象項目名】０００８
【補正方法】変更
【補正の内容】
【０００８】
第２の本発明は、第１の本発明の塗料対象検査装置であって、前記検出手段が、電圧供給手段によって電圧を印加された後の過渡状態における前記塗装対象の電位を検出することを特徴とする塗料対象検査装置である。
第２の本発明では、電圧を印加された塗装対象の過渡状態における電位を検出し、検出した電位に基いて、塗装対象の電気的状態を判定する。
【手続補正４】
【補正対象書類名】明細書
【補正対象項目名】０００９
【補正方法】変更
【補正の内容】
【０００９】
過渡状態における塗装対象の電位は、部品を保持する治具が正しく接地されているか否か、あるいは部品自体の体積抵抗率・表面抵抗率が所定値以上であるか否かに応じて異なる値を取る。したがって第２の本発明では、過渡状態における電位に基づいて、塗装対象の電気的状態を正しく検出できる。
【手続補正５】
【補正対象書類名】明細書
【補正対象項目名】００１０
【補正方法】変更
【補正の内容】
【００１０】
第３の本発明は、第１又は第２の本発明の塗装対象検査装置であって、前記判定手段が、前記検出した電位と所定の基準値との比較に基いて、塗装対象の除電状態を判定することを特徴とする塗装対象検査装置である。
【手続補正６】
【補正対象書類名】明細書
【補正対象項目名】００１１
【補正方法】変更
【補正の内容】
【００１１】
第３の本発明では、検出した塗装対象の電位と所定の基準値との比較に基づいて、塗装対象の除電状態を判定するので、本発明による効果を簡易な構成で実現できる。
【手続補正７】
【補正対象書類名】明細書
【補正対象項目名】００１２
【補正方法】変更
【補正の内容】
【００１２】
第４の本発明は、第３の本発明の塗装対象検査装置であって、前記判定手段は、前記電圧印加手段による前記塗装対象への電圧の印加が停止してから予め定めた時間後の前記塗装対象の電位が予め定めた基準電圧値よりも低いときに前記塗装対象に対する静電塗装を許可する判定を行うことを特徴とする塗装対象検査装置である。
また、第５の本発明は、第３または第４の本発明の塗装対象検査装置であって、
前記判定手段が、前記検出した電位と接地判定基準値との比較に基づいて前記塗装対象の接地状態を判定し、または、前記検出した電位と導電性判定基準値との比較に基づいて前記塗装対象の導電性を判定することを特徴とする塗装対象検査装置である。
【手続補正８】
【補正対象書類名】明細書
【補正対象項目名】００１３
【補正方法】変更
【補正の内容】
【００１３】
第５の本発明では、検出した塗装対象の電位と接地判定基準値または導電性判定基準値の一方との比較に基づいて、塗装対象の接地状態または導電性を判定するので、簡易な構成によって、塗装対象の接地状態または導電性が不十分である場合を特定できる。
【手続補正９】
【補正対象書類名】明細書
【補正対象項目名】００１４
【補正方法】変更
【補正の内容】
【００１４】
第６の本発明は、第１または第２の本発明の塗装対象検査装置であって、前記判定手段が、前記検出した電位と所定の第１の基準値と該第１の基準値より高い所定の第２の基準値との比較に基づいて、前記塗装対象の除電状態を判定することを特徴とする塗装対象検査装置である。
【手続補正１０】
【補正対象書類名】明細書
【補正対象項目名】００１５
【補正方法】変更
【補正の内容】
【００１５】
第６の本発明では、２種類の異なる基準値を用いて除電状態を判定するので、除電状態の判定を更に詳細に実行できる。
【手続補正１１】
【補正対象書類名】明細書
【補正対象項目名】００１６
【補正方法】変更
【補正の内容】
【００１６】
第７の本発明は、第１から６のいずれかの本発明の塗装対象検査装置であって、前記検出手段が、前記塗装対象と非接触の状態で前記塗装対象の電位を検出することを特徴とする塗装対象検査装置である。
【手続補正１２】
【補正対象書類名】明細書
【補正対象項目名】００１７
【補正方法】変更
【補正の内容】
【００１７】
第７の本発明では、第１から第６の本発明による効果に加え、検出手段が塗装対象と非接触の状態で塗装対象の電位を検出することとしたので、これにより電位の検出の際のスパークの発生を防止できる。
【手続補正１３】
【補正対象書類名】明細書
【補正対象項目名】００１８
【補正方法】変更
【補正の内容】
【００１８】
第８の本発明は、塗装対象に電圧を印加し、電圧が印加された前記塗装対象の電位を検出し、検出された電位に基づいて、前記塗装対象の電気的状態を判定することを特徴とする塗装対象の検査方法である。
また、第９の本発明は、第８の本発明の塗装対象の検査方法であって、前記検出は、電圧が印加された後の過渡状態における前記塗装対象の電位を検出することを特徴とする塗装対象の検査方法である。第９の本発明では、第２の本発明と同様の効果を得ることができる。
【手続補正１４】
【補正対象書類名】明細書
【補正対象項目名】００１９
【補正方法】変更
【補正の内容】
【００１９】
第１０の本発明は、第８または第９の本発明の塗料対象の検査方法であって、前記判定は、前記検出した電位と所定の基準値との比較に基づいて、前記塗装対象の除電状態を判定することを特徴とする塗装対象の検査方法である。第１０の本発明では、第３の本発明と同様の効果を得ることができる。
【手続補正１５】
【補正対象書類名】明細書
【補正対象項目名】００２０
【補正方法】変更
【補正の内容】
【００２０】
第１１の本発明は、第１０の本発明の塗装対象の検査方法であって、前記判定は、電圧の印加が停止してから予め定めた時間後の前記塗装対象の電位が予め定めた基準電圧値よりも低いときに前記塗装対象に対する静電塗装を許可する判定を行うことを特徴とする塗装対象の検査方法である。